(57)【要約】  【課題】空気調和機の低電圧保護に関連する部品のコストを低減させる。  【解決手段】空気調和機１は、予め定められた運転時閾値及び待機時閾値を保持し、圧縮機２９やファンモータ２０が運転中の期間に運転時閾値を選択し、圧縮機２９やファンモータ２０が運転停止中の期間に待機時閾値を選択し、選択した閾値のいずれか一方をリレー制御部３１に出力する瞬断閾値選択部４０を備える。このため、負荷を運転中の場合と停止中の場合とでそれぞれ最適な閾値を用いることができ、瞬時電圧変動の電圧復帰時に流れる突入電流を低減できるため、メインリレー２３ａ，２３ｂや、整流器２５や平滑コンデンサ２６などの部品のコストを低減させることができる。【選択図】図１
2019158204.tif 000002
【特許請求の範囲】
【請求項１】
交流電源が入力端に接続された整流器と、
前記交流電源と前記整流器の間に直列に接続された少なくとも一つのリレーと、
前記整流器の出力電圧を平滑する平滑コンデンサと、
前記平滑コンデンサの電圧を検出する直流電圧検出部と、
前記整流器の出力電圧で動作する負荷と、
前記直流電圧検出部で検出した直流電圧が予め定めた瞬断閾値以下になった時に前記リレーの接点を開にするリレー制御部とを備えた空気調和機であって、
前記空気調和機は、
前記瞬断閾値として予め定められた運転時閾値及び前記運転時閾値よりも大きな値の前記待機時閾値を備え、前記負荷が運転中の期間は前記運転時閾値を選択し、前記負荷が運転停止中の期間は前記待機時閾値を選択し、選択された閾値を前記リレー制御部に前記瞬断閾値として設定する瞬断閾値選択手段を備えたことを特徴とする空気調和機。
【発明の詳細な説明】
【技術分野】
【０００１】
本発明は、空気調和機に係わり、より詳細には、瞬時電圧変動や瞬断が発生した場合の処理に関する。
【背景技術】
【０００２】
従来、空気調和機は圧縮機に供給する電圧が、予め定めた電圧の閾値（瞬断閾値）以下に低下した時に圧縮機の運転を停止させる低電圧保護機能を有している。（例えば、特許文献１参照。）。
一方、空気調和機は圧縮機が停止している待機状態であっても、圧縮機と電源を共有しているファンモータの制御などに支障がでるまで入力電圧が低下した場合、圧縮機やファンモータに供給する電圧を遮断しなければならない。一方、圧縮機を運転している時が消費電力が最も多くなる時であるため、圧縮機に供給する電圧もこの時に最も低下する。このため、運転時で、かつ、所定の瞬時電圧低下が発生した時のみ、低電圧保護機能が働くように瞬断閾値が決定されている。このため、運転時と待機時に共通の保護機能を使用し、その電圧の閾値として運転時の瞬断閾値を採用していた。
【０００３】
具体的に従来の空気調和機は低電圧保護機能として、その定格電圧範囲（定格入力電圧の±１０％）のうち、下限定格電圧値（定格入力電圧の−１０％）よりやや低い電圧を瞬断閾値とし、入力電圧がこの瞬断閾値以下になった時に圧縮機やファンモータに供給する電圧を遮断するようになっている。なお、この入力電圧を検出する方法として交流電圧を直接測定する方法に代わり、絶縁が不要であり回路が簡単な整流後の直流電圧を測定する方法が用いられる場合が多い。
【０００４】
ところで、欧州向けの空気調和機では入力電圧の定格電圧（相電圧）として、例えば、使用される国や地域により、ＡＣ２４０ＶとＡＣ２２０Ｖとの二種類がある。このため、電源の設計を共通化して上限定格電圧値をＡＣ２４０Ｖ＋１０％、下限定格電圧値をＡＣ２２０Ｖ−１０％とした電源装置を空気調和機に用いる場合が多い。なお、整流ダイオードと平滑コンデンサを用いた三相の電源装置の場合、線間電圧は前述の相電圧の値のルート３倍となり、これを整流した直流電圧はさらにルート２倍になる。例えば下限定格電圧値であるＡＣ２２０Ｖ−１０％の場合、整流した直流電圧は約４８５Ｖになり、また、上限定格電圧値であるＡＣ２４０Ｖ＋１０％の場合、整流した直流電圧は約６４７Ｖになる。
【０００５】
空気調和機において圧縮機を運転すると運転開始前よりも消費電力が増加するため、前述した三相の電源装置を用いて圧縮機を運転した場合、消費電力増加の影響により下限定格電圧値と対応する直流電圧である４８５Ｖからさらに低下した電圧で圧縮機を駆動することになる。
一例として、ある三相の電源装置では直流電圧の４８５Ｖで圧縮機を運転した場合、消費電力増加の影響により約７７Ｖだけドロップして４０８Ｖで圧縮機を駆動している。さらに、瞬時電圧変動に対する低電圧保護機能として直流電圧が３６０Ｖ以下になったら圧縮機やファンモータの電源を切断するようにしている。
【０００６】
一方、平滑コンデンサに流れる電流の観点から考えると、瞬時電圧変動が発生して直流電圧が３６０Ｖ付近まで低下し、その後、元の電圧に復帰した場合、平滑コンデンサに突入電流が流れ込む。例えば、下限定格電圧値と対応する直流電圧である４８５Ｖと、瞬時電圧変動が発生した時の直流電圧である３６０Ｖの電圧差は１２０Ｖである。一方、上限定格電圧値と対応する直流電圧である６４７Ｖと、この３６０Ｖの電圧差は２８７Ｖとなる。このため、この２８７Ｖの電圧差で発生する突入電流に対応して整流ダイオードや平滑コンデンサ、リレーなどの部品の最大定格電流に関するスペックを決定していた。
【０００７】
しかしながら、この２８７Ｖの電圧差で発生する突入電流に対応した整流ダイオードや平滑コンデンサ、リレーなどの部品は最大電流定格が大きくなるに従ってコストが上昇する傾向があるため、結果的に低電圧保護に関連する部品のコストが上昇する問題があった。
【先行技術文献】
【特許文献】
【０００８】
【特許文献１】特開閉１０−９６８６号公報（段落番号００２１）
【発明の概要】
【発明が解決しようとする課題】
【０００９】
本発明は以上述べた問題点を解決し、空気調和機の低電圧保護に関連する部品のコストを低減させることを目的とする。
【課題を解決するための手段】
【００１０】
本発明は上述の課題を解決するため、本発明の請求項１に記載の発明は、
交流電源が入力端に接続された整流器と、
前記交流電源と前記整流器の間に直列に接続された少なくとも一つのリレーと、
前記整流器の出力電圧を平滑する平滑コンデンサと、
前記平滑コンデンサの電圧を検出する直流電圧検出部と、
前記整流器の出力電圧で動作する負荷と、
前記直流電圧検出部で検出した直流電圧が予め定めた瞬断閾値以下になった時に前記リレーの接点を開にするリレー制御部とを備えた空気調和機であって、
前記空気調和機は、
前記瞬断閾値として予め定められた運転時閾値及び前記運転時閾値よりも大きな値の前記待機時閾値を備え、前記負荷が運転中の期間は前記運転時閾値を選択し、前記負荷が運転停止中の期間は前記待機時閾値を選択し、選択された閾値を前記リレー制御部に前記瞬断閾値として設定する瞬断閾値選択手段を備えたことを特徴とする。
【発明の効果】
【００１１】
以上の手段を用いることにより、本発明による空気調和機によれば、
空気調和機が負荷を運転中の期間であるか停止中の期間であるかによって瞬断閾値選択手段が、直流電圧が低下した時にリレーを開とする瞬断閾値として運転時閾値又は待機時閾値のいずれかを選択する。このため、負荷を運転中の場合と停止中の場合とでそれぞれ最適な閾値を用いることができ、瞬時電圧変動の電圧復帰時に流れる突入電流を低減できるため、低電圧保護に関連する部品のコストを低減させることができる。
【図面の簡単な説明】
【００１２】
【図１】本発明による空気調和機の実施例を示すブロック図である。
【図２】本発明による瞬断閾値選択部の実施例を示すブロック図である。
【図３】本発明の概念を説明する説明図である。
【図４】本発明による空気調和機の動作を示す説明図である。
【発明を実施するための形態】
【００１３】
以下、本発明の実施の形態を、添付図面に基づいた実施例として詳細に説明する。なお、本発明と直接関係のない冷媒回路については図示と説明を省略する。
【実施例１】
【００１４】
図１は三相交流電源４に接続される空気調和機１を示すブロック図である。空気調和機１は三相交流電源４に接続される室外機２と、室外機２に通信接続された室内機３で構成されている。
室外機２は、三相交流電源４が供給される電源端子２１ａと電源端子２１ｂと電源端子２１ｃと、これらの電源端子が３つの入力端２５ａ，２５ｂ，２５ｃのそれぞれに接続される整流器（三相ブリッジダイオード）２５と、電源端子２１ａと入力端２５ａの間に直列に接続されたメインリレー２３aと、電源端子２１ｂと入力端２５ｂの間に直列に接続されたメインリレー２３ｂと、メインリレー２３aの２つの接点に並列に接続された、サブリレー２２と抵抗２４の直列回路とを備えている。
【００１５】
また、室外機２は、整流器２５の出力電圧が出力される正極出力端２５ｄ、及び負極出力端２５ｅがそれぞれ入力端に接続されたインバータ２８と、インバータ２８で駆動される圧縮機（負荷）２９と、整流器２５の正極出力端２５ｄと負極出力端２５ｅの間にそれぞれ接続された平滑コンデンサ２６と直流電圧検出部２７とファンモータ（負荷）２０と、メインリレー２３ａ，２３ｂとサブリレー２２とインバータ２８とファンモータ２０を制御する室外機制御部３０を備えている。なお、直流電圧検出部２７で検出したＤＣ電圧値は室外機制御部３０に入力されている。さらに、室外機制御部３０は室内機３と通信接続されている。
【００１６】
室外機制御部３０は、メインリレー２３ａ，２３ｂとサブリレー２２を制御するリレー制御部３１と、インバータ２８を制御する圧縮機制御部３３と、室外機２全体を制御すると共に圧縮機制御部３３やファンモータ２０を制御する運転制御部３２と、ＤＣ電圧値が低下した時にメインリレー２３ａ，２３ｂを開放して圧縮機２９の運転を中止させるための電圧の閾値である瞬断閾値を選択して出力する瞬断閾値選択部（瞬断閾値選択手段）４０を備えている。なお、運転制御部３２は室内機３と通信接続されており、室内機３は運転の開始や停止、冷暖房の選択などの運転指示信号を運転制御部３２へ出力する。
【００１７】
運転制御部３２は室内機３から圧縮機２９の運転を開始する運転指示信号を受け取ると、インバータ２８やファンモータ２０を駆動する電圧を供給するための電源指示信号をリレー制御部３１へ出力する。電源指示信号が入力されたリレー制御部３１は、メインリレー２３ａ，２３ｂの接点を接続する前に平滑コンデンサ２６への突入電流を制限するためサブリレー２２へサブリレー信号をローレベルからハイレベルにして出力する。ハイレベルのサブリレー信号が入力されたサブリレー２２は自身の接点を接続する。
【００１８】
リレー制御部３１は直流電圧検出部２７で検出したＤＣ電圧値が入力されており、抵抗２４を介して流れる突入電流により平滑コンデンサ２６の電圧が徐々に上昇して一定電圧に達した時、つまり突入電流が一定値以下に減少した時、メインリレー信号をローレベルからハイレベルにして出力し、メインリレー２３ａ，２３ｂの接点を接続し、その後、サブリレー信号をハイレベルからローレベルにしてサブリレー２２の接点を開放する。
【００１９】
リレー制御部３１はメインリレー２３ａ，２３ｂの接点を接続すると、インバータ２８やファンモータ２０を運転できる電圧が供給されたと判断して電源状態信号をローレベル（切断）からハイレベル（接続）にして運転制御部３２と瞬断閾値選択部４０に出力する。ハイレベルの電源状態信号が入力された運転制御部３２は運転を開始するため圧縮機制御部３３へ回転数指示信号を出力する。同時に運転制御部３２は運転状態信号をローレベル（待機）からハイレベル（運転）にして瞬断閾値選択部４０へ出力する。
【００２０】
瞬断閾値選択部４０は室外機２が待機中、つまり、インバータ２８やファンモータ２０が運転停止中の時に使用する待機時閾値と、室外機２が運転中、つまり、インバータ２８やファンモータ２０が運転状態の時に使用する運転時閾値のいずれかをリレー制御部３１へ出力する。瞬断閾値選択部４０は運転状態信号がローレベル（待機）の場合は待機時閾値を、また、運転状態信号がハイレベル（運転）の場合は運転時閾値をそれぞれ選択して出力する。この選択された閾値が入力されたリレー制御部３１は、この閾値を瞬断閾値として設定し、次に閾値が入力されるまで現在の閾値を使用する。
【００２１】
図２は瞬断閾値選択部４０の内部を示すブロック図である。瞬断閾値選択部４０は、待機時閾値４２と運転時閾値４３が予め記憶された記憶部４４と、待機時閾値４２と運転時閾値４３のいずれかを選択して読み出す選択部４１を備えている。選択部４１には電源状態信号が入力されており、この信号がハイレベルの間、つまり、インバータやファンモータ２０に電源が供給されている間、瞬断閾値選択部４０の動作が許可される。
【００２２】
一方、電源状態信号がハイレベル（動作が許可）の場合、瞬断閾値選択部４０は運転状態信号がハイレベルなら運転時閾値４３を選択し、運転状態信号がローレベルなら待機時閾値４２を選択して記憶部４４から読み出し、読み出した値をリレー制御部３１へ出力する。なお、電源状態信号がローレベル（動作が禁止）の場合、運転状態信号の状態に関わらず瞬断閾値選択部４０は待機時閾値４２を出力したままとなる。
【００２３】
本実施例では待機時閾値をＤＣ４３９Ｖ、運転時閾値をＤＣ３６０Ｖにしている。従ってリレー制御部３１は、ＤＣ電圧値がこれらの閾値以下になった時、メインリレー信号とサブリレー信号を共にローレベルにする。この結果、サブリレー２２の接点、及びメインリレー２３ａ，２３ｂの接点が解放され、リレー制御部３１は、電源状態信号をローレベル（切断）にして出力する。このローレベルの電源状態信号が入力された運転制御部３２は、圧縮機制御部３３へ指示してインバータ２８の運転を停止させ、また、ファンモータ２０を停止させる。そして空気調和機１は室内機３を介してユーザーの指示を待つ。
【００２４】
図３は本発明の概念を説明する説明図である。図３の横軸は時間であり、縦軸はＤＣ電圧である。なお、空気調和機１の定格電圧はＡＣ２４０Ｖ〜ＡＣ２２０Ｖであるため、上限定格電圧はＡＣ２４０Ｖ＋１０％、また、下限定格電圧はＡＣ２２０Ｖ−１０％となる。三相交流電源４のＡＣ電圧（相電圧）が整流された直流電圧において、上限定格電圧はＤＣ６４７Ｖとなり、下限定格電圧はＤＣ４８５Ｖとなる。
【００２５】
図３において空気調和機１が下限定格電圧（ＤＣ４８５Ｖ）で待機状態の時、瞬断閾値選択部４０は待機時閾値（ＤＣ４３９Ｖ）を出力している。ここでユーザーの指示により空調運転が開始されて圧縮機２９が運転を開始すると、ＤＣ電圧は負荷の増大によりＤＣ４０８Ｖまで低下する。空調運転中では瞬断閾値選択部４０は運転時閾値（ＤＣ３６０Ｖ）を出力している。このためＤＣ電圧がＤＣ４０８Ｖまで低下してもリレー制御部３１はメインリレー２３ａ，２３ｂの接点を接続状態のままとする。
また、空調運転状態の時に瞬時電圧変動が発生してＤＣ電圧がさらに低下した場合、この電圧低下における最低電圧が運転時閾値（ＤＣ３６０Ｖ）よりも高い電圧ならば、リレー制御部３１はメインリレー２３ａ，２３ｂの接点を接続状態のままとする。
【００２６】
一方、空気調和機１が上限定格電圧（ＤＣ６４７Ｖ）で待機状態の時、瞬断閾値選択部４０は待機時閾値（ＤＣ４３９Ｖ）を出力している。ここでユーザーの指示により空調運転が開始されて圧縮機２９が運転を開始すると、ＤＣ電圧は負荷の増大によりＤＣ５７０Ｖまで低下する。空調運転中では瞬断閾値選択部４０は運転時閾値（ＤＣ３６０Ｖ）を出力している。このためＤＣ電圧がＤＣ５７０Ｖまで低下してもリレー制御部３１はメインリレー２３ａ，２３ｂの接点を接続状態のままとする。
【００２７】
また、上限定格電圧（ＤＣ６４７Ｖ）で空調運転状態となった時に瞬時電圧変動が発生してＤＣ電圧がさらに低下した場合、この電圧低下における最低電圧が運転時閾値（ＤＣ３６０Ｖ）よりも高い電圧ならば、リレー制御部３１はメインリレー２３ａ，２３ｂの接点を接続状態のままとする。
この場合、空調運転状態時の瞬時電圧変動の電圧変動幅は２１０Ｖになる。つまり、瞬時電圧低下が終了して元のＤＣ５７０Ｖまで復帰する場合、この変動幅に対応する突入電流が流れる。
【００２８】
一方、上限定格電圧（ＤＣ６４７Ｖ）で待機状態の時、瞬時電圧変動が発生してＤＣ電圧が低下した場合、この電圧低下における最低電圧が待機時閾値（ＤＣ４３９Ｖ）よりも高い電圧ならば、リレー制御部３１はメインリレー２３ａ，２３ｂの接点を接続状態のままとする。
従来の空気調和機では空調運転時と待機時では同じ電圧閾値（ＤＣ３６０Ｖ）を用いていたので、上限定格電圧（ＤＣ６４７Ｖ）で待機状態の時、瞬時電圧変動が発生してＤＣ電圧が低下した場合、この電圧低下における最低電圧がこの電圧閾値（ＤＣ３６０Ｖ）よりも高い電圧ならば、リレー制御部３１はメインリレー２３ａ，２３ｂの接点を接続状態のままとする。
【００２９】
つまり、従来の空気調和機では上限定格電圧（ＤＣ６４７Ｖ）で待機状態の時、瞬時電圧変動が発生して電圧閾値（ＤＣ３６０Ｖ）の直前まで電圧が低下した後、元の電圧まで復帰した場合、この電圧の差は２８７Ｖに達することになり、この電圧差に対応した突入電流がメインリレー２３ａ，２３ｂや、整流器２５や平滑コンデンサ２６に流れることになる。従ってこれらの部品はこの時の投入電流に耐えるスペックが必要になる。
【００３０】
一方、本発明による空気調和機１の場合、上限定格電圧（ＤＣ６４７Ｖ）で待機状態の時、瞬時電圧変動が発生して待機時閾値（ＤＣ４３９Ｖ）の直前まで電圧が低下した後、元の電圧まで復帰した場合、この電圧変動幅は最大２０８Ｖになり、この電圧差に対応した突入電流がメインリレー２３ａ，２３ｂや、整流器２５や平滑コンデンサ２６に流れることになる。当然、この電圧の差は従来の空気調和機よりも７９Ｖも小さいため、これらの部品はこの投入電流に耐えるスペックを従来の空気調和機の場合よりも小さいものにすることができ、結果的にこれらの部品をコストダウンすることができる。
【００３１】
図４は本発明による空気調和機１の動作を示す説明図である。図４において横軸は時間を表している。縦軸に関して図４（１）はＤＣ電圧を、図４（２）はサブリレー信号を、図４（３）はメインリレー信号を、図４（４）は運転指示信号を、図４（５）は電源指示信号を、図４（６）は電源状態信号を、図４（７）は運転状態信号を、図４（８）は回転数指示信号を、図４（９）は選択された瞬断閾値を、図４（１０）はファン駆動信号を、それぞれ示している。なお、ｔ０〜ｔ１５は時刻である。また、ｔ０において全ての信号はローレベル、ＤＣ電圧は０Ｖであり、瞬断閾値は待機時閾値（ＤＣ４３９Ｖ）が瞬断閾値選択部４０から出力されている。さらに交流電圧は上限定格電圧になっている。
【００３２】
図４（４）に示すように室内機３からｔ１で「運転開始」の運転指示信号が出力されると、これを受信した運転制御部３２は、まず、最初にインバータ２８やファンモータ２０などの負荷に電源を供給するため、電源指示信号をローレベル（切断）からハイレベル（接続）にして出力する。この信号が入力されたリレー制御部３１は平滑コンデンサ２６を徐々に充電させるためにサブリレー信号をローレベル（接点開放）からハイレベル（接点接続）にする。この結果ＤＣ電圧は徐々に上昇する。
【００３３】
リレー制御部３１はｔ２でＤＣ電圧が所定の電圧、例えばＤＣ４８５Ｖになった時、メインリレー信号をローレベル（接点開放）からハイレベル（接点接続）にする。この結果ＤＣ電圧は一気に、上限定格電圧（ＤＣ６４７Ｖ）まで上昇する。その後、リレー制御部３１はｔ３でサブリレー信号をハイレベル（接点接続）からローレベル（接点開放）にする。
【００３４】
一方、リレー制御部３１はｔ２でメインリレー２３ａ，２３ｂの接点を接続したため、これに対応して電源状態信号をローレベル（切断）からハイレベル（接続）にする。電源状態信号がハイレベルになったため、瞬断閾値選択部４０は動作を開始するが、運転状態信号がローレベル（待機状態）のため、待機時閾値（ＤＣ４３９Ｖ）をリレー制御部３１へ出力する。
【００３５】
図４（１）に示すようにｔ４直前まで交流電圧は上限定格電圧（ＤＣ６４７Ｖ）になっていたが、ｔ４で瞬時電圧変動が発生し、ｔ４からＤＣ電圧が低下し始めてｔ５で待機時閾値（ＤＣ４３９Ｖ）直前まで低下し、ｔ６で元の電圧（ＤＣ６４７Ｖ）まで復帰している。ｔ０以降ｔ６時点では圧縮機２９とファンモータ２０が停止した待機状態であるため瞬断閾値選択部４０はこの間、待機時閾値（ＤＣ４３９Ｖ）をリレー制御部３１へ出力している。
【００３６】
一方、ｔ６以降に交流電圧が低下しｔ７で下限定格電圧（ＤＣ４８５Ｖ）になり、ｔ８まで継続している。ｔ８以降、運転制御部３２は圧縮機制御部３３へ徐々に回転数を上昇させた回転数指示信号を出力し、ｔ９以降一定の回転数を指示している。運転制御部３２はｔ８で回転数指示信号の出力を開始したため、ここで運転状態信号をローレベル（待機）からハイレベル（運転）にして瞬断閾値選択部４０へ出力する。また、運転制御部３２はｔ８で同時にファン駆動信号をローレベル（停止）からハイレベル（回転）にする。この結果、ファンモータ２０が回転する。
【００３７】
ハイレベルの運転状態信号が入力された瞬断閾値選択部４０は、待機時閾値（ＤＣ４３９Ｖ）を運転時閾値（ＤＣ３６０Ｖ）に切り換えて出力する。一方、圧縮機２９が運転を開始したため負荷が増大してＤＣ電圧が４０８Ｖまで低下するが、運転時閾値（ＤＣ３６０Ｖ）よりも高いためリレー制御部３１は、メインリレー２３ａ，２３ｂの接点を接続状態のままとする。さらに、ｔ１０〜ｔ１２で瞬時電圧変動が発生するが、運転時閾値（ＤＣ３６０Ｖ）よりも高いためリレー制御部３１は、メインリレー２３ａ，２３ｂの接点を接続状態のままとする。
【００３８】
そしてｔ１３で「運転停止」の運転指示信号が室内機３から出力されると、運転制御部３２は圧縮機２９の回転数を徐々に低下させ、ｔ１４で完全に圧縮機２９を停止させる。そして運転制御部３２はｔ１４で運転状態信号をハイレベル（運転）からローレベル（待機）にして瞬断閾値選択部４０へ出力すると共にファン駆動信号をハイレベル（回転）からローレベル（停止）にする。この結果、ファンモータ２０が停止する。同時に運転制御部３２は、電源指示信号をハイレベル（接続）からローレベル（切断）にして出力する。この信号が入力されたリレー制御部３１はメインリレー２３ａ，２３ｂの接点を開放させる。同時にリレー制御部３１は電源状態信号をハイレベル（接続）からローレベル（切断）にする。
【００３９】
この電源状態信号が入力された瞬断閾値選択部４０は、運転時閾値（ＤＣ３６０Ｖ）から待機時閾値（ＤＣ４３９Ｖ）に切り換えて出力する。従ってこの後に瞬時電圧変動が発生した場合、リレー制御部３１は待機時閾値を用いて動作する。一方、ＤＣ電圧はｔ１４以降徐々に低下しｔ１５で０Ｖになる。
【００４０】
以上説明したように、室外機２が負荷（圧縮機２９やファンモータなど）を運転中の期間であるか停止中の期間であるかによって瞬断閾値選択部４０が、ＤＣ電圧が低下した時にリレーを開とする瞬断閾値として運転時閾値又は待機時閾値のいずれかを選択する。このため、負荷を運転中の場合と停止中の場合とでそれぞれ最適な閾値を用いることができ、瞬時電圧変動の電圧復帰時に流れる突入電流を低減できるため、メインリレー２３ａ，２３ｂや、整流器２５や平滑コンデンサ２６などの部品のコストを低減させることができる。
【００４１】
本実施例では三相交流電源用の空気調和機として説明しているが、これに限るものでなく、単相交流電源用の空気調和機であってもよい。
また、運転時閾値や待機時閾値の値はこれに限るものでなく、各機器の仕様に合わせて適宜変更してもよい。
【符号の説明】
【００４２】
１  空気調和機
２  室外機
３  室内機
４  三相交流電源
２０  ファンモータ（負荷）
２１ａ、２１ｂ、２１ｃ  電源端子
２２  サブリレー
２３ａ、２３ｂ  メインリレー
２４  抵抗
２５  整流器
２５ａ、２５ｂ、２５ｃ  入力端
２５ｄ  正極出力端
２５ｅ  負極出力端
２６  平滑コンデンサ
２７  直流電圧検出部
２８  インバータ
２９  圧縮機（負荷）
３０  室外機制御部
３１  リレー制御部
３２  運転制御部
３３  圧縮機制御部
４０  瞬断閾値選択部（瞬断閾値選択手段）
４１  選択部
４２  待機時閾値
４３  運転時閾値
４４  記憶部
【図１】
2019158204.tif 000003
【図２】
2019158204.tif 000004
【図３】
2019158204.tif 000005
【図４】
2019158204.tif 000006